(57)【要約】【課題】プライバシーと著作権を両立して保護するディジタル信号記録再生装置の提供。【解決手段】記録時には、入力端子１０９より識別情報が入力された場合は、該識別情報を付加して、入力端子１０１より入力されたディジタル信号を記録媒体１１５に記録し、識別情報が入力されない場合は、固定値１１３を付加して、記録媒体に記録する。また、再生時には、入力端子１０９から識別情報が入力された場合は、該識別情報と記録媒体１１５から再生されたディジタル信号に付加された識別情報が一致した場合のみディジタル信号を出力端子１０６から出力し、外部から識別情報が入力されない場合は、固定値１１３と再生されたディジタル信号に付加された識別情報が一致した場合のみ出力する。【選択図】  図１
2004295955.tif 000002
【特許請求の範囲】
【請求項１】
装置固有の識別情報を記憶する記憶手段と、
外部からの識別情報を入力する識別情報の入力手段と、
入力されたディジタル信号を記録媒体に記録再生する記録再生手段と、
外部からの識別情報の入力がある場合は、上記識別情報の入力手段から上記記録再生手段へ該識別情報を送出し、また、外部からの識別情報の入力がない場合は、上記記憶手段から上記記録再生手段へ上記装置固有の識別情報を送出する送出手段と、
入力されたディジタル信号に上記送出手段から送出された識別情報を付加して記録媒体に記録し、上記記録媒体から再生されたディジタル信号に付加された識別情報が上記送出手段から送出されてきた識別情報と一致した場合はディジタル信号を出力し、上記記録媒体から再生されたディジタル信号に付加された識別情報が上記送出手段から送出されてきた識別情報と一致しない場合は再生されたディジタル信号を出力しないように制御する制御手段とを備えたことを特徴とするディジタル信号記録再生装置。
【請求項２】
装置固有の識別情報を記憶する記憶手段と、
外部からの識別情報を入力する識別情報の入力手段と、
入力されたディジタル信号を記録媒体に記録再生する記録再生手段と、
外部からの識別情報の入力がある場合は、上記識別情報の入力手段から上記記録再生手段へ該識別情報を送出し、また、外部からの識別情報の入力がない場合は、上記記憶手段から上記記録再生手段へ上記装置固有の識別情報を送出する送出手段と、
入力されたディジタル信号に上記送出手段から送出された識別情報を付加して記録媒体に記録し、上記記録媒体から再生されたディジタル信号に付加された識別情報が上記送出手段から送出されてきた識別情報と一致した場合のみディジタル信号を出力するように制御する制御手段とを備えたことを特徴とするディジタル信号記録再生装置。
【請求項３】
上記装置固有の識別情報を記憶する記憶手段と、
外部からの識別情報を入力する識別情報の入力手段と、
入力されたディジタル信号に識別情報を付加して出力する入出力手段と、
上記記憶手段又は上記入力手段から上記入出力手段へ識別情報を送出する送出手段と、
上記送出手段から送出する識別情報を切換える切換手段と、
上記入出力手段によって識別情報が付加されたディジタル信号を記録媒体に記録する記録手段と、
記録媒体から識別情報が付加されたディジタル信号を再生する再生手段と、
上記切換手段、記録手段及び再生手段を制御する制御手段とを備え、
上記制御手段は、外部からの識別情報の入力がある場合は、上記識別情報の入力手段から上記入出力手段へ該識別情報を送出し、また、外部からの識別情報の入力がない場合は、上記記憶手段から上記入出力手段へ上記装置固有の識別情報を送出するように切換え、再生されたディジタル信号に付加された識別情報が送出された識別情報と一致した場合のみ上記ディジタル信号を出力することを特徴とするディジタル信号記録再生装置。
【請求項４】
記録時には、外部からの識別情報が入力された場合は、外部からの識別情報を付加して、入力されたディジタル信号を記録媒体に記録し、また、外部からの識別情報の入力がされない場合は、装置固有の識別情報を付加して、入力されたディジタル信号を記録媒体に記録し、
再生時には、外部からの識別情報が入力された場合は、該識別情報と上記記録媒体から再生されたディジタル信号に付加された識別情報が一致した場合のみ該ディジタル信号を出力し、外部からの識別情報が入力されない場合は、上記装置固有の識別情報と上記記録媒体から再生されたディジタル信号に付加された識別情報が一致した場合のみ該ディジタル信号を出力することを特徴とするディジタル信号記録再生方法。
【請求項５】
装置固有の鍵情報を記憶する記憶手段と、
外部から鍵情報を入力する鍵情報入力手段と、
記録時に、外部から鍵情報を入力した場合は、該鍵情報から鍵を演算してディジタル信号を暗号化し、外部から鍵情報を入力しない場合は、上記装置固有の鍵情報から鍵を演算してディジタル信号を暗号化する暗号化手段と、
上記暗号化されたディジタル信号を記録媒体に記録する記録手段と、
記録媒体から暗号化されたディジタル信号を再生する再生手段と、
再生時に、外部からの鍵情報入力がある場合は、該鍵情報を演算した鍵を用いて該ディジタル信号を復号化し、外部からの鍵情報入力がない場合は、上記装置の装置固有の鍵情報を演算した鍵を用いて上記再生されたディジタル信号を復号化する復号化手段を備えたことを特徴とするディジタル信号記録再生装置。
【請求項６】
請求項１乃至３記載のディジタル信号記録再生装置において、
前記識別情報の入力手段によって入力される識別情報は無線通信により与えられることを特徴としたディジタル信号記録再生装置。
【請求項７】
請求項５記載のディジタル信号記録再生装置において、
前記鍵情報入力手段によって入力される鍵情報は無線通信により与えられることを特徴としたディジタル信号記録再生装置。
【請求項８】
記録時には、外部から鍵情報の入力がされた場合は、該鍵情報から鍵を演算して、入力されたディジタル信号を暗号化し、外部から鍵情報の入力がされない場合は、装置固有の鍵情報から鍵を演算して、入力されたディジタル信号を暗号化し、
上記暗号化されたディジタル信号を記録媒体に記録し、
再生時には、記録媒体からディジタル信号を再生し、
外部から鍵情報が入力された場合は、該鍵情報から鍵を演算して、上記再生されたディジタル信号を復号化し、外部から鍵情報が入力されない場合は、上記装置固有の鍵情報から鍵を演算して、上記再生されたディジタル信号を復号化し、
該復号化されたディジタル信号を出力することを特徴とするディジタル信号記録再生方法。
【請求項９】
請求項１、２、３、５、６又は７記載のディジタル信号記録再生装置において、
前記記録媒体はハードディスクドライブであることを特徴とするディジタル信号記録再生装置。
【請求項１０】
請求項４又は８項記載のディジタル信号記録再生方法において、
前記記録媒体はハードディスクドライブであることを特徴とするディジタル信号記録方法。
【請求項１１】
請求項１乃至３いずれか１項記載のディジタル信号記録再生装置において、
前記識別情報の入力手段により入力される識別情報はユーザを識別する識別情報であることを特徴とするディジタル信号記録再生装置。
【請求項１２】
請求項５記載のディジタル信号記録再生装置において、
前記鍵情報入力手段により入力される識別情報はユーザを識別する鍵情報であることを特徴とするディジタル信号記録再生装置。
【請求項１３】
請求項１又は２記載のディジタル信号記録再生装置において、
前記送出手段は、外部からの識別情報の入力がある場合は、前記入力手段の識別情報及び前記装置固有の識別情報を合成して、前記記録再生手段へ送出し、また、外部からの識別情報の入力がない場合は、前記記憶手段から上記記録再生手段へ上記装置固有の識別情報を送出することを特徴とするディジタル信号記録再生装置。
【請求項１４】
請求項５記載のディジタル信号記録再生装置において、
記録時に、前記暗号化手段は、外部から鍵情報を入力した場合は、該鍵情報及び前記装置固有の鍵情報から鍵を演算してディジタル信号を暗号化し、外部から鍵情報を入力しない場合は、上記装置固有の鍵情報から鍵を演算してディジタル信号を暗号化し、
前記復号化手段は、再生時に、外部からの鍵情報入力がある場合は、該鍵情報及び上記装置固有の鍵情報を演算した鍵を用いて該ディジタル信号を復号化し、外部からの鍵情報入力がない場合は、上記装置の装置固有の鍵情報を演算した鍵を用いて前記再生されたディジタル信号を復号化することを特徴とするディジタル信号記録再生装置。
【請求項１５】
請求項３記載のディジタル信号記録再生装置において、
前記制御手段は、外部からの識別情報の入力がある場合は、前記入力手段の識別情報及び前記置固有の識別情報を合成して、上記入出力手段へ送出し、
また、外部からの識別情報の入力がない場合は、前記記憶手段から上記入出力手段へ上記装置固有の識別情報を送出するよう制御することを特徴とするディジタル信号記録再生装置。
【請求項１６】
請求項１又は２記載のディジタル信号記録再生装置において、
前記送出手段は、前記ディジタル信号に含まれる制御情報に基づいて、前記記憶手段から前記記録再生手段へ前記装置固有の識別情報の送出の可否を選択することを特徴とするディジタル信号記録再生装置。
【請求項１７】
請求項３記載のディジタル信号記録再生装置において、
前記制御手段は、前記ディジタル信号に含まれる制御情報に基づいて、前記記憶手段から前記入出力手段へ前記装置固有の識別情報の送出の可否を選択することを特徴とするディジタル信号記録再生装置。
【請求項１８】
請求項５記載のディジタル信号記録再生装置において、
前記記録手段は、前記ディジタル信号に含まれる制御情報に基づいて、ディジタル信号の暗号化の可否を選択することを特徴とするディジタル信号記録再生装置。
【発明の詳細な説明】
【０００１】
【発明の属する技術分野】
本発明は、ディジタル信号を記録媒体に記録再生するディジタル信号記録再生装置及び方法関する。
【０００２】
【従来の技術】
特許文献１には、「ディジタル放送のコンテンツを録画しておくことができ、正当権利者のみが録画されたコンテンツを再生することができるようにしたディジタル放送の録画におけるコンテンツ保護方法を提供すること」を目的として、「受信した番組を暗号化して録画する際、該暗号化する鍵を、正当権利者が有する携帯装置に格納された情報に基づいて生成する」技術が開示されている。
【０００３】
また、特許文献２には、「他人による番組の消去や視聴を防止できるディジタルテレビ放送記録装置を提供すること」を目的として、「複数の各視聴者に固有の視聴者情報を入力する入力部と、所定の視聴者の視聴者情報を記憶する視聴者情報記憶部と、入力部に入力された視聴者情報と視聴者情報記憶部に記憶された視聴者情報とを比較して視聴者を識別する視聴者情報識別部とを備え、視聴者情報識別部の識別結果に応じて番組の記録、再生または消去を制限する」技術が開示されている。
【０００４】
【特許文献１】
特開２００３−８５６７公報
【特許文献２】
特開２００１−９４９２８公報
【０００５】
【発明が解決しようとする課題】
特許文献１記載の発明は、コンテンツに対しての著作権保護に関するものであり、ディジタル信号記録再生装置をシェアした場合に、各人が記録したコンテンツに対し、他者が再生してしまうことが可能である為、プライバシーを保護したい使用者に対して、考慮されない課題がある。
【０００６】
一方、特許文献２記載の発明は、記録したコンテンツを再生若しくは消去するユーザを限定することができ、プライバシーを保護することは可能となるが、装置ごとに記録されたコンテンツの再生制御をすることができず、著作権保護が十分に図れないという課題がある。
【０００７】
本発明の目的は上記課題を解決し、著作権保護と併せてプライバシー保護を達成する装置と方法を提供することにある。
【０００８】
【課題を解決するための手段】
前記目的は特許請求の範囲に記載された発明によって達成される。
【０００９】
【発明の実施の形態】
以下、本発明の実施の形態につき図面を用いて説明する。同一機能を示すものについては、同一番号を付し、説明を省略する。
【００１０】
図１は、本発明に係るディジタル信号記録再生装置の第１の実施の形態を示す構成図である。ディジタル信号は、入力端子１０１から入力し、暗号制御部１０２はディジタル信号を暗号化する。記録制御部１０３は暗号化されたディジタル信号を第１の記録媒体１１５に記録する。再生制御部１０４は第１の記録媒体からディジタル信号を再生する。復号制御部１０５は再生された暗号化ディジタル信号の復号を行い、出力端子１０６から出力する。第２の記録媒体１０７は各制御部に対しての処理内容などを記憶するもので、例えば、フラッシュメモリ等である。制御回路１０８は暗号復号処理や記録再生処理等の制御を行うもので、例えば、マイクロプロセッサ等である。受光部１０９は、外部のリモコン等から送信された制御内容を受信する。リモコンＩ／Ｆ１１１は受光部１１０からの赤外線信号をディジタル信号に変化させる。制御信号入力端子１１２はディジタル信号記録再生装置の操作パネルに取り付けられる。レジスタ１１３は鍵情報の一つとなる固定値を記憶する。この値は装置固有のものとし、ユーザはこれを変更できない。切換部１１４は、リモコンＩ／Ｆ１１１，入力端子１１２，レジスタ１１３からの信号を切換えて暗号制御部等へ出力する。
【００１１】
第１の記録媒体１１５は、ディジタル信号を記録する例えばハードディスクが好適である。記録媒体はハードディスクドライブだけでなく、ＤＶＤ−ＲＡＭ等の光ディスクでも構わない。
また、記録媒体１１５には、暗号化するための情報の一部を記録しても良い。ここで、ディジタル信号記録再生装置１００は、記録装置と再生装置が一体の構成となっているが、記録装置と再生装置とが独立した構成としても構わない。
【００１２】
図２は、上記第１の実施の形態で述べた本発明のディジタル信号記録再生装置を適用したディジタル衛星放送受信機（ＳＴＢ）の構成図である。
チューナ部４０６は、記録媒体１１５に記録を行うプログラムが多重化されている１トランスポンダ周波数を選択し、この選択された１トランスポンダ内のビットストリームを復調部４０７に出力するものである。復調部４０７は、チューナ４０６から入力されたビットストリームの復調及び誤り訂正を行い、ＭＰＥＧ２−ＴＳに変換し、これをフィルタリング部４０８に出力するものである。フィルタリング部４０８は、復調部４０７から入力されたＭＰＥＧ２−ＴＳより、１プログラムのオーディオとビデオのＰＥＳパケットを分離化し、ディジタル信号記録再生装置１００の入力端子１０１に供給する。
このＭＰＥＧ２−ＴＳを平文とし暗号化制御部１０２にて暗号化し、記録制御部１０３を介して、記録媒体１１５に記録する。
【００１３】
ここで、記録したコンテンツの再生に関してプライバシーを保護したい使用者に対して、他者が再生不能とした制御を実現するには、鍵情報を各記録者によって変更し、暗号化を行う暗号鍵を変更することにより実現できる。
【００１４】
図３は、図１、図２における暗号制御部１０２の詳細図であり、図４は鍵生成部２０５の詳細図である。
鍵情報２０１，２０２，２０３はそれぞれ異なるものであり、例えば、前記記録媒体１１５，１０７に内蔵された固有情報などが相当する。また、制御回路１１１にて乱数演算した値や、乱数発生器にて演算した乱数を用いても構わない。これら複数の鍵情報の一つを上記特定者による再生機能用に割り付ける。記録設定者ごとの鍵情報を入力端子２０４から与え、鍵生成部２０５にて、第１のレジスタ２１２に鍵情報を保持する。前記レジスタ２１２の値から、ハッシュ関数演算器２１３にてハッシュ関数を演算する。ハッシュ関数は、その出力結果から、入力データが類推困難な関数であり、暗号鍵から、秘密情報である鍵情報は求められない。前記ハッシュ関数演算器２１３の出力を第２のレジスタ２１４に保持し暗号鍵とする。ここで鍵情報の例としては、１２８ビットの鍵情報１と８ビットの鍵情報２と４ビットの鍵情報３と１６ビットの鍵情報４を合成した１５６ビットが、ハッシュ関数演算器２１２に供給される。前記ハッシュ関数演算器２１３では、この１５８ビットをハッシュ演算し演算結果のうちの例えば５６ビットを抜出し鍵とする。本発明においては、前記鍵情報の数と合成の方法及び、ビット幅については、特に限定はしない。
２０６は入力端子であり、平文であるＭＰＥＧ２−ＴＳが前記入力端子１０１から供給され、暗号器２０７にて暗号化され、出力端子２０８より暗号化された信号を出力する。
【００１５】
この構成にて上記特定者による再生機能用鍵情報を、リモコンからの入力とする。記録設定は、リモコンによる番組コードの入力、または画面上に表示されたＥＰＧ（電子番組ガイド）から番組コードを選択することが一般的である。この記録設定時に、番組情報とともに再生保護用の情報を例えば数字キー４桁の書式として、リモコンを介してディジタル信号記録再生装置４００に入力する。受光部４０２はこのリモコン信号を受信し、例えば赤外線信号をディジタル信号に変換し、リモコンＩ／Ｆ部１１１で解析した後、記録、再生などの制御信号情報を制御回路１０５に伝送しつつ、鍵情報は切換部１１４に伝送する。リモコンＩ／Ｆ１１１から鍵情報を検出時には、制御回路１０８は同時に切換部１１４をリモコンＩ／Ｆ１１１からの鍵情報を選択し、暗号制御部１０２に設定する制御を行う。この構成により暗号鍵は記録設定者のみ知り得る鍵情報を入力しないかぎり再現は不能となる。
【００１６】
なお、ここで、記録設定者の鍵情報及び固定値の両方を用いて鍵を生成しても良い。ユーザ及び装置を併せて制限することで、著作権保護を図ると共にプライバシーの保護を図ることができる。
【００１７】
図３に図示したように、装置制限のための暗号化回路とユーザ制限のための暗号回路を一部共有する構成をとることで、装置制限を実現する装置に新たにユーザ制限のための暗号化回路を設ける必要はなく、装置のコストダウンに繋がる。
【００１８】
また、記録設定者が他のユーザに対して、再生を許可する場合は、リモコンによる鍵情報の入力を省略し、レジスタ１１３に格納された固定値を使用することで、切換部１１４からの鍵情報は常に暗号制御部１０２に供給でき、鍵情報が不定になることを防止できる。さらに、再生装置を制限することができ、著作権保護を図ることができる。なお、入力されてくるディジタル信号に含まれるコピー制御情報等を用いて、固定値の使用の可否を定めるようにしてもよい。こうすることで、フリーのコンテンツ等は何ら制限をかけることなく記録することができる。
【００１９】
上記構成にて暗号化され記録したコンテンツを再生し復号する処理につき説明する。図５は、複数の鍵情報を使用し、復号鍵を演算する復号制御部１０５の構成図であり、鍵生成部２０５は図３と同一の構成例を示す。
【００２０】
まず信号の流れとしては、再生すべき記録媒体１１５に記録された暗号文を再生制御部１０４により検索し読み出す。次に復号制御部１０５において、記録時と同じく複数の鍵情報をもとにハッシュ関数を演算し、生成した復号鍵を復号器２１０に設定し、暗号文の復号を行う。この復号鍵の生成においても記録と同様に、リモコンから鍵情報を使用する。この切換部１１４から与えられる鍵情報以外は、設定者による変更は不可能であるため、再生制御者が記録時に設定した鍵情報を入力することにより、暗号鍵と復号鍵が一致し正確な復号が可能となる。
【００２１】
鍵情報が異なる場合は、暗号鍵と復号鍵は異なる値が生成されるため、正確な復号が不可能となり、記録設定者以外の再生を防ぐことができる。なお、このときは記録媒体１１５に記録されたコンテンツに関しては当然ながら暗号化されており、著作権保護も実現できている。
【００２２】
この複合化されたＭＰＥＧ２ＴＳはタイミング調整部４０９にて、再生出力の時刻管理情報であるＰＴＳ（Ｐｒｅｓｅｎｔａｔｉｏｎ  Ｔｉｍｅ  Ｓｔａｍｐ）がＭＰＥＧシステムの基準復号器内部のＳＴＣ（Ｓｙｓｔｅｍ  Ｔｉｍｅ  Ｃｌｏｃｋ）と一致したときに、そのアクセス・ユニットを再生出力する。
【００２３】
前記タイミング調整部３０４の出力はＡ／Ｖデコーダ３０５に供給される。Ａ／Ｖデコーダ３０５は、入力されたオーディオとビデオのＰＥＳパケットデータをデコードし、ビデオデータはディジタルエンコーダ３０６に、オーディオデータはオーディオＤＡＣ３０７にそれぞれ出力する。ディジタルエンコーダ３０６は、Ａ／Ｖデコーダ３０５から受け取ったビデオデータをテレビ出力信号に変換し、外部に出力端子３０９を介して出力する。オーディオＤＡＣ３０７は、Ａ／Ｖデコーダ３０５から受け取ったオーディオデータをアナログ信号に変換し、外部に出力端子３１０を介して出力する。
【００２４】
以上の説明では、リモコンにて鍵情報を入力する例について説明を行ったが、ディジタル信号記録再生装置に操作パネルなどに据え付けられたチャンネル切換ボタンなどの外部入力端子１１２からの入力を併用しても、同様な効果を得ることが可能である。
【００２５】
次に、再生者を限定した記録再生制御方法につき、図６から図９を用い説明する。
図６は、ディジタル信号が記録媒体１１５に記録される記録形式の一例を示す図である。図７は、暗号化記録の制御方法を示すフローチャートである。図８は、復号化再生の制御方法を示すフローチャートである。図９は、ディジタル信号記録再生装置１００に記録及び再生されるコンテンツと記録媒体１１５に記録されたデータを示す図である。図中（ａ）が切換部から得られる鍵情報，（ｂ）が暗号鍵，（ｃ）が切換部の制御信号，（ｄ）が記録媒体１０５に記録されたコンテンツ、（ｅ）が再生時の切換部の制御信号，（ｆ），（ｆ）’が復号鍵，（ｇ），（ｇ）’が再生されたコンテンツを示す。ここで、Ｐｒｏｇｒａｍ４，７，８が鍵情報を外部から与えた状態となっている。
【００２６】
まず、記録制御について説明する。
ディジタル信号記録再生装置１００は、リモコンや操作パネルボタンなどの外部入力からのユーザ入力を待ち状態（Ｓ１０１）になっている。ユーザからの外部入力を検出し、記録開始であれば制御回路１０８を、記録制御に遷移し（Ｓ１０２）、記録制御部１０３を介して、記録媒体１１５に記録するための管理情報領域３０１とデータ領域３０６を設定する（Ｓ１０３）。記録媒体１１５には前記管理情報領域３０１と、前記データ領域３０６に分け記録を行う。管理情報領域３０１はさらに、暗号化ディジタル信号のファイル番号を記録するファイル番号領域３０２と、鍵情報を固定値１１３か、入力された鍵情報を用いたかを示す、再生者限定の有無を格納する再生限定領域３０３と、前記暗号データが格納されているデータ領域３０６のアドレスを格納するアドレス領域３０４から構成され、管理情報に対応した暗号化ディジタル信号がアドレス領域３０４の示すデータ領域３０６に記録される。記録が継続されるごとに管理情報３０１とデータ領域３０６が、３０７、３０８、…３１６というように追加されていく。
【００２７】
次に制御回路１０８は、実行する記録が再生限定有りの記録を行うかを検出し  （Ｓ１０４）、ユーザが限定再生を選択した場合、切換部１１４は入力端子１１１を選択するよう制御する（Ｓ１０５）。図６中のファイル番号４，７，８が設定を行った記録に該当する。制御回路１０８は、入力部１０９に例えば４桁の数値が入力されるまで待機する（Ｓ１０６）。入力部１０９にユーザにより鍵情報が入力をされた時点で、鍵生成器２０５のレジスタ２１２に鍵情報が保持される（Ｓ１０７）。一例として、鍵情報４：２０４をユーザが入力した鍵情報とし、鍵情報は９９９９，７７７７とする。ここで、限定再生を選択しなかった場合は、固定値１１３の値が鍵情報４：２０４として保持される。図６中のファイル番号１，２，５及びファイル番号６が設定を行わなかった記録に該当し、固定値は１２３４となる。
【００２８】
次に、レジスタ２１２に保持された鍵情報を、ハッシュ関数演算器２１３にて演算し記録鍵を生成する（Ｓ１０８）。
【００２９】
前記記録鍵を暗号器２０７に設定（Ｓ１０９）したことをトリガとして、入力端子１０１から受信したＭＰＥＧ２−ＴＳを暗号化して、記録制御部１０３により、記録媒体１１５の管理情報領域３０１の先頭アドレス格納領域３０６が示すデータ領域３０７に記録する（Ｓ１１０）。記録終了時（Ｓ１１１）には、再生者を限定した記録を行っていたかを確認し（Ｓ１１２）、切換部１１４をレジスタ１１３に戻した状態にし（Ｓ１１３）、記録を終了する（Ｓ１１４）。
【００３０】
次に、再生制御について説明する。
ディジタル信号記録再生装置１００は、リモコンや操作ボタンなどの外部入力からのユーザ入力を待ち状態（Ｓ２０１）になっている。外部入力から信号を検出し、再生開始であればまず制御回路１０８を、再生制御に遷移し（Ｓ２０２）、再生制御部１０４を介して、記録媒体１１５に記録された管理情報領域３０１を検索する（Ｓ２０３）。ここで、該当するファイル番号に対応した再生限定機能領域３０３を参照し（Ｓ２０４）、再生者限定の状態であれば、ユーザに限定再生機能であることを通知し（Ｓ２０５）、切換部１１４を入力端子１０９に制御する（Ｓ２０６）。制御回路１０８は、入力部１０９に例えば４桁の数値が入力されるまで待機する（Ｓ２０７）。入力部１０９にユーザによる鍵情報が入力をされた時点で、鍵生成器２０５のレジスタ２１２に鍵情報が保持される（Ｓ２０８）。設定された鍵情報をもとに復号鍵を生成し（Ｓ２０９）、復号器２１０の鍵として設定する（Ｓ２１０）。
【００３１】
復号鍵が設定された時点からアドレス領域３０４の示す、暗号化ディジタル信号を記録媒体１１５から読み出し、順次復号を行っていく（Ｓ２１１）。
【００３２】
再生時に、鍵情報を正確に入力した例が（ｆ）であり、Ｐｒｏｇｒａｍ４，７，８において記録時と同じ鍵情報を入力している為、暗号鍵と復号鍵が一致し復号ができる。（ｆ）’は鍵情報を正確に入力できなかった場合の例であり、鍵情報が記録時と別な為、暗号鍵と復号鍵が一致せず、再生したコンテンツを正確に復号することはできない。この構成により、ユーザがそれぞれ鍵情報を入力することで、記録したコンテンツに対して他者が容易に再生することが不可能となる。再生を終了する場合（Ｓ２１２）も記録時と同様に、再生者を限定した再生を行っていたかを確認し（Ｓ２１３）、切換部１１４をレジスタ１１３に戻した状態にし（Ｓ２１４）、再生を終了する（Ｓ２１５）。
【００３３】
次に、図１０は、本発明の第２の実施の形態におけるＳＴＢの構成を示す図である。ディジタル信号記録再生装置の再生信号を無線ＬＡＮにより送信し、別の部屋で受信し視聴した場合に対して、再生者を限定した例である。ディジタルエンコーダ４１１のテレビ出力信号とオーディオＤＡＣ４１２からのアナログオーディオデータ信号を無線ＬＡＮＩ／Ｆ４１３にて、外部モニタへ例えば、伝送速度１１ＭｂｐｓのＩＥＥＥ８０２．１１ｂ無線ＬＡＮ方式のパケット構成に変換して、無線送受信部４１４を介して、無線通信を行うものである。この例において、無線ＬＡＮＩ／Ｆ４１３は、再生信号を送信すると同時にリモコン制御信号及び鍵情報を受信する構成とする。無線送受信部４１４を介して、無線ＬＡＮＩ／Ｆ４１３にて、受信した鍵情報は制御回路１０８が検出し、切換部１１４に設定する。この鍵情報により、暗号鍵を設定し、暗号化記録を行えると同時に、復号鍵の鍵情報を与え、再生を行うことが可能となる。
【００３４】
図１１は、本発明の第３の実施の形態におけるＳＴＢの構成を示す図である。テレビ出力４１５，４１６と前述した無線ＬＡＮインタフェース４１３と双方を持ち合わせた例である。この構成においては、テレビ出力が接続されたユーザは、リモコンからの入力にて鍵情報を設定する。また、無線ＬＡＮにて受信しているユーザは、無線ＬＡＮＩ／Ｆ４１３を介して鍵情報を設定する。これによりそれぞれのコンテンツに対して独立した鍵情報を設定できる。暗号制御部１０６，復号制御部１０５は２系統必要となるが、時分割処理することにより１系統で実現できる。この構成により、例えば、ディジタル信号記録再生装置１００を据え置きにし、１台のモニタへテレビ出力を接続しリモコンにて制御を行う。同時に無線ＬＡＮにて別の部屋のモニタを視聴し、鍵情報を無線ＬＡＮ経由にて設定が可能となる。これはディジタル信号記録再生装置を同時に記録再生したときにおいても、それぞれのコンテンツに対して再生者を限定可能とすることを実現できる。
【００３５】
尚、本実施の形態では、著作権保護及びプライバシー保護を鍵情報を用いた暗号化／復号化によって実現しているが、パスワード等の識別情報をコンテンツに付加して再生時に一致するか否かを照合することによっても実現することができる。
【００３６】
【発明の効果】
本発明により、著作権保護に併せてプライバシー保護を図ることができる。
【図面の簡単な説明】
【図１】本発明第１の実施の形態によるディジタル信号記録再生装置のブロック構成を示す図である。
【図２】本発明第１の実施の形態を適用したＳＴＢの構成を示す図である。
【図３】本発明第１の実施の形態における暗号制御部の内容を示す図である。
【図４】本発明第１の実施の形態における鍵生成部の内容を示す図である。
【図５】本発明第１の実施の形態における復号制御部の内容を示す図である。
【図６】本発明第１の実施の形態における記録媒体に記録されたデータの一例を説明するための図である。
【図７】本発明第１の実施の形態におけるディジタル信号の記録制御のフローチャートである。
【図８】本発明第１の実施の形態におけるディジタル信号の再生制御のフローチャートである。
【図９】本発明第１の実施の形態におけるディジタル信号の記録再生制御を説明するための図である。
【図１０】本発明第２の実施の形態におけるＳＴＢの構成を示す図である。
【図１１】本発明第３の実施の形態におけるＳＴＢの構成を示す図である。
【符号の説明】
１００…ディジタル信号記録再生装置、
１０１，１０９，１１２，２０４，２０６，２０９…入力端子、１０２…暗号制御部、１０３…記録制御部、１０４…再生制御部、１０５…復号制御部、１０６，２０８，２１１，４０４，４０５，４１５，４１６…出力端子、１０７，１１５…記録媒体、１０８…制御回路、１１１…リモコンＩ／Ｆ、１１３…レジスタ、１１４…切換部、３０１…管理情報領域、３０２…ファイル番号領域、３０３…記録者領域、３０４…アドレス領域、３０６…データ領域、２０５…鍵生成器、２０７…暗号器，２１０…復号器、４０６…チューナ部、４０７…復調部、４０８…フィルタリング部、４０９…タイミング調整部、４１０…ＡＶデコーダ、４１１…ディジタルエンコーダ、４１２…オーディオＤＡＣ、４１３…無線ＬＡＮＩ／Ｆ、４１４…無線送受信部
【図１】
2004295955.tif 000003
【図２】
2004295955.tif 000004
【図３】
2004295955.tif 000005
【図４】
2004295955.tif 000006
【図５】
2004295955.tif 000007
【図６】
2004295955.tif 000008
【図７】
2004295955.tif 000009
【図８】
2004295955.tif 000010
【図９】
2004295955.tif 000011
【図１０】
2004295955.tif 000012
【図１１】
2004295955.tif 000013